(57)【要約】【課題】フルメッシュＷＤＭ伝送システムにおいて、波長チャネル配置に不連続性がある場合でも適用可能な低コスト周回性Ｎ×Ｎ光合分波装置を提供する。【解決手段】波長分割多重光信号を各波長群に分波して前記複数の出力端子から出力する複数の光分波手段と、複数の入力端子と複数の出力端子とを有し、前記複数の入力端子が、前記複数の光分波手段の各出力端子の中の所定端子に接続されるアレイ導波路回折格子型合分波回路と、２個の入力端子と前記各出力ポートに接続される１個の出力端子とを有し、前記２個の入力端子のそれぞれが、前記アレイ導波路回折格子型合分波回路の複数の出力端子の中の所定の２本の出力端子に接続される複数の光合流手段とを備える。【選択図】        図３
2005003832.tif 000002
【特許請求の範囲】
【請求項１】
複数本の入力ポートと複数本の出力ポートを有し、波長分割多重光信号を合分波する光波長合分波装置であって、
前記波長分割多重信号光は、各群内において波長配置が連続し、各群の間で波長配置が不連続な複数の波長群からなり、
前記各入力ポートに接続される１個の入力端子と複数の出力端子とを有し、前記波長分割多重光信号を各波長群に分波して前記複数の出力端子から出力する複数の光分波手段と、
前記光分波手段とは逆の入出力特性を有するとともに、複数の入力端子と１個の出力端子とを有し、前記複数の入力端子のそれぞれが、前記複数の光分波手段の各出力端子の中の所定端子に接続される複数の光合波手段と、
複数の入力端子と複数の出力端子とを有し、前記複数の入力端子が、前記複数の光分波手段の各出力端子の中の所定端子と、前記複数の光合波手段の各出力端子に接続されるアレイ導波路回折格子型合分波回路と、
２個の入力端子と、前記各出力ポートに接続される１個の出力端子とを有し、前記２個の入力端子のそれぞれが、前記アレイ導波路回折格子型合分波回路の複数の出力端子の中の所定の２本の出力端子に接続される複数の光合流手段とを備えることを特徴とする光波長合分波装置。
【請求項２】
前記波長分割多重信号光は、短波長群と長波長群との２波長群から成り、使用波長数がＮ、未使用波長数がＬ（Ｎ，Ｌ≧１、Ｎ＞Ｌ）の波長分割多重信号光であり、
前記複数の光合波手段は、（Ｎ−Ｌ）個の光合波手段であり、
前記アレイ導波路回折格子型合分波回路は、（Ｎ＋Ｌ）個以上の入力端子と、（２Ｎ−１）個以上の出力端子とを有し、かつ、基本周期が波長間隔の（２Ｎ−１）倍以上であり、
前記１番目から（Ｎ−Ｌ）番目までの光分波手段から出力される長波長群の信号光を、１番目から（Ｎ−Ｌ）番目までの光合波手段に入力し、
前記（Ｌ＋１）番目からＮ番目までの光分波手段から出力される短波長群の信号光を、１番目から（Ｎ−Ｌ）番目までの光合波手段に入力し、
ｍを任意の整数とするとき、前記１番目からＬ番目までの光分波手段から出力される短波長群の信号光を、前記アレイ導波路回折格子型合分波回路の（１＋ｍ）番目から（Ｌ＋ｍ）番目までの入力端子に入力し、
前記１番目から（Ｎ−Ｌ）番目までの光合波手段から出力される信号光を、前記アレイ導波路回折格子型合分波回路の（Ｌ＋１＋ｍ）番目から（Ｎ＋ｍ）番目までの入力端子に入力し、
前記（Ｎ−Ｌ＋１）番目からＮ番目までの光分波手段から出力される長波長群の信号光を、前記アレイ導波路回折格子型合分波回路の（Ｎ＋１＋ｍ）番目から（Ｎ＋Ｌ＋ｍ）番目までの入力端子に入力することを特徴とする請求項１に記載の光波長合分波装置。
【請求項３】
前記光分波手段と前記光合波手段との間、前記光分波手段と前記アレイ導波路回折格子型合分波回路との間、前記光合波手段と前記アレイ導波路回折格子型合分波回路との間、あるいは、前記アレイ導波路回折格子型合分波回路と前記光合流手段との間を、複数の光ファイバがフィルム形状にレイアウトされた光ファイバ配線シートで接続したことを特徴とする請求項１または請求項２に記載の光波長合分波装置。
【請求項４】
前記光分波手段、前記光合波手段、前記アレイ導波路回折格子型合分波回路、前記光合流手段、および各手段間を接続する光配線の少なくとも一部は、平面基板上に形成された光導波回路で構成され、前記平面基板上に集積化されていることを特徴とする請求項１ないし請求項３のいずれか１項に記載の光波長合分波装置。
【請求項５】
複数本の入力ポートと複数本の出力ポートを有し、波長分割多重光信号を合分波する光波長合分波装置であって、
前記波長分割多重信号光は、各群内において波長配置が連続し、各群の間で波長配置が不連続な複数の波長群からなり、
前記各入力ポートに接続される１個の入力端子と複数の出力端子とを有し、前記波長分割多重光信号を各波長群に分波して前記複数の出力端子から出力する複数の光分波手段と、
複数の入力端子と複数の出力端子とを有し、前記複数の入力端子が、前記複数の光分波手段の各出力端子の中の所定端子に接続されるアレイ導波路回折格子型合分波回路と、
２個の入力端子と、前記各出力ポートに接続される１個の出力端子とを有し、前記２個の入力端子のそれぞれが、前記アレイ導波路回折格子型合分波回路の複数の出力端子の中の所定の２本の出力端子に接続される複数の光合流手段とを備えることを特徴とする光波長合分波装置。
【請求項６】
前記波長分割多重信号光は、短波長群と長波長群との２波長群から成り、使用波長数がＮ、未使用波長数がＬ（Ｎ，Ｌ≧１、Ｎ≦Ｌ）の長分割多重信号光であり、
前記アレイ導波路回折格子型合分波回路は、（Ｎ＋Ｌ）個以上の入力端子と、（２Ｎ−１）個以上の出力端子とを有し、かつ、基本周期が波長間隔の（Ｎ＋Ｌ）倍以上であり、
ｍを任意の整数とするとき、前記１番目からＮ番目までの光分波手段から出力される短波長群の信号光を、前記アレイ導波路回折格子型合分波回路の（１＋ｍ）番目から（Ｎ＋ｍ）番目までの入力端子に入力し、
前記１番目からＮ番目までの光合波手段から出力される長波長群の信号光を、前記アレイ導波路回折格子型合分波回路の（Ｌ＋１＋ｍ）番目から（Ｎ＋Ｌ＋ｍ）番目までの入力端子に入力することを特徴とする請求項５に記載の光波長合分波装置。
【請求項７】
前記光分波手段と前記アレイ導波路回折格子型合分波回路との間、あるいは、前記アレイ導波路回折格子型合分波回路と前記光合流手段との間を、複数の光ファイバがフィルム形状にレイアウトされた光ファイバ配線シートで接続したことを特徴とする請求項５または請求項６に記載の光波長合分波装置。
【請求項８】
前記光分波手段、前記アレイ導波路回折格子型合分波回路、前記光合流手段、および各手段間を接続する光配線の少なくとも一部は、平面基板上に形成された光導波回路で構成され、前記平面基板上に集積化されていることを特徴とする請求項５ないし請求項７のいずれか１項に記載の光波長合分波装置。
【請求項９】
前記各光分波手段は、波長選択性を有する干渉膜フィルタで構成されることを特徴とする請求項１ないし請求項８のいずれか１項に記載の光波長合分波装置。
【請求項１０】
前記光分波手段は、平面基板上の光導波路で構成されるラティス型光分波フィルタで構成されることを特徴とする請求項１ないし請求項８のいずれか１項に記載の光波長合分波装置。
【請求項１１】
前記各光合波手段は、波長選択性を有する干渉膜フィルタで構成されることを特徴とする請求項１ないし請求項４のいずれか１項に記載の光波長合分波装置。
【請求項１２】
前記光合波手段は、平面基板上の光導波路で構成されるラティス型光分波フィルタで構成されることを特徴とする請求項１ないし請求項４のいずれか１項に記載の光波長合分波装置。
【請求項１３】
前記光分波手段および光合波手段は、平面基板上に形成された複数の光導波路を横切る溝に挿入され、複数の光合波または光分波手段として機能する干渉膜フィルタで構成され、前記光分波手段および光合波手段は一体に構成されていることを特徴とする請求項１ないし請求項４のいずれか１項に記載の光波長合分波装置。
【発明の詳細な説明】
【０００１】
【発明の属する技術分野】
本発明は、光波長合分波装置に係り、特に、光波長多重された複数の光信号を、波長に応じて分波または合波する光波長合分波装置に関する。
【０００２】
【従来の技術】
複数の光信号を異なる光周波数に割り当て１本の光ファイバで伝送する光波長分割多重（ＷＤＭ；Ｗａｖｅｌｅｎｇｔｈ  Ｄｉｖｉｓｉｏｎ  Ｍｕｌｔｉｐｌｅｘｉｎｇ）伝送システムは、伝送路の容量を大幅に増大することが可能である。既に、基幹系システムを中心に波長間隔が１００ＧＨｚ程度のｄｅｎｓｅ−ＷＤＭ（ＤＷＤＭ）システムが導入されてきている。
近年、光信号の波長を単純なファイバ容量増大に適用するだけでなく、ネットワークの自由度向上に用いる検討も進んでおり、その一例として、フルメッシュ光ＷＤＭネットワークがある。
図６に示すようなフルメッシュ光ＷＤＭネットワークは、Ｎ×Ｎ光合分波装置３６を中心に各ＷＤＭ送受信装置３７を備えたノード間を、単純なスター状に光ファイバ３８で接続することにより全てのノード間をフルメッシュ接続することができるため、大容量データを低遅延で高速通信することが可能となる。
フルメッシュ光ＷＤＭネットワークは、入出力ポートに対して周期的な合分波特性を有するＮ×Ｎ光合分波装置を利用したものであり、Ｎ×Ｎ光合分波装置としては、図７に示すアレイ導波路回折格子型光合分波回路（以下、ＡＷＧという）が用いられる。
【０００３】
図７において、３９は基板、４０は所定の光路長ΔＬを有するアレイ導波路、４１はレンズ効果を有するスラブ導波路、４２はＮ本の入力導波路、４３はＮ本の出力導波路である。
ＡＷＧの入出力導波路本数をそれぞれＮ本とし、ＡＷＧの基本周期（ＦＳＲ：Ｆｒｅｅ  Ｓｐｅｃｔｒａｌ  Ｒａｎｇｅ）を合分波波長間隔Δλの入出力導波路数倍（すなわち、Δλ×Ｎ）に設計すると、入出力ポートに対して周期的な合分波特性が得られる。この特性をＡＷＧの波長周回性と呼んであり、図８は入出力導波路数が４本の場合の例である。
４入力４出力のポート間には１６（Ｎ×Ｎ）個の接続パスが形成されるが、たった４種類（Ｎ種類）の波長で全てのパスを独立に設定することが可能である。
この特徴は、スター型ネットワークにおいて、全てのノード間回線を最小限の光波長数で設定できるため、光ＷＤＭシステムにおいて重要な機能である。
しかし、斜線で示した波長においては、設計回折次数と、隣接する回折次数を利用している。
そのために、実際には波長間隔のズレが生じてしまい、図８のような理想的な周期的な入出力関係が実現できない。
【０００４】
そこで、従来は、図９に示すように、ＡＷＧと光カプラを組み合わせることにより周期的な入出力関係を実現していた（下記特許文献、および下記非特許文献１参照）。
図９において、４４はＮ本の入力ポート、４５はＡＷＧ、４６はＡＷＧ出力ポートと光カプラを接続する光ファイバ配線、４７は２×１光カプラ、４８はＮ本の出力ポートである。
ここで、ＡＷＧ４５の入出力チャネル数を（２Ｎ−１）以上、言い換えれば、ＦＳＲを波長間隔Δλの（２Ｎ−１）倍以上に設定する必要がある。設計上の入出力ポート数またはＦＳＲを大きく設定するほど、出力における損失バラツキが抑制される。
図９は、その一例として、入出力ポート数が４ポート、波長数が４波長、ＡＷＧのチャネル数が７チャネルの場合を示している。
図９に示す従来技術（第１の従来技術）の動作原理を以下に説明する。
４波多重された光信号を、ＡＷＧ４５の４本の入力ポート４４に入力する。ここで、光信号を表すアルファベット文字は、入力ポートの位置を、下付数字は波長間隔Δλ毎の光波長を短波長側から表している。
従って、アルファベット文字が同じ光信号は同じ入力ポートに入射されたことを示し、下付数字が同じ光信号は同じ光波長であることを示す。ここでは、４種類の波長で１６個の異なる光信号が伝搬していることになる。
【０００５】
ＡＷＧ４５は、波長間隔Δλの光信号を、図９に示すような波長配置で分波するように中心波長およびチャネル間隔が設計されている。
ＡＷＧ４５によって分波された光信号は、次に、光ファイバ配線４６によって、ＡＷＧ４５の出力チャネル（１）と（５）、（２）と（６）、（３）と（７）が合わさるように、２×１光カプラ４７で合流される。
その結果、出力ポート４８おいて、図８で説明した周期的な入出力関係が実現される。
本従来技術の場合、ＡＷＧ４５で分波される光信号は、全て同一の設計回折次数で分波されるため、回折次数が異なることに起因する波長間隔のズレの問題は生じない。
しかし、本従来技術では、Ｎ波の波長多重光が波長間隔Δλで連続している必要があり、同じように、４波多重光を用いた場合でも、図１０に示すように、一部の波長を使用しないようなチャネル波長配置、即ち、チャネル波長に不連続性がある場合は適用できない。
チャネル波長が不連続になってしまう例としては、Ｃｏｒｓｅ−ＷＤＭシステム（１２７０〜１６１０ｎｍの２０ｎｍ波長間隔）において、１３９０ｎｍ近傍の光ファイバのＯＨ基損失を避けた波長配置を用いる場合や、Ｄｅｎｓｅ−ＷＤＭシステムのＣ帯（１５３０〜１５６５ｎｍ）とＬ帯（１５６５〜１６２５ｎｍ）を利用したＷＤＭシステムにおいて、Ｃ帯用アンプとＬ帯用アンプの切り換えバンド（１５６０〜１５７０ｎｍ近傍）を避けた波長配置を用いる場合等が挙げられる。
【０００６】
不連続なチャネル波長配置に対応した周回性Ｎ×Ｎ光合分波装置を実現する方法としては、図１１に示すように、Ｎ個の１×（Ｎ＋Ｌ）ＡＷＧとＮ個の（Ｎ＋１）×１チャネルＡＷＧを対向させて所定のポート間を光ファイバなどで接続する方法がある（下記非特許文献２参照）。
図１１において、４９はＮ本の入力ポート、５０は１×（Ｎ＋Ｌ）チャネル分波用ＡＷＧ、５１は１×（Ｎ＋Ｌ）分波用ＡＷＧ５０の出力ポートと（Ｎ＋Ｌ）×１合波用ＡＷＧ５２の所定のポート間を接続する光ファイバ配線、５２は（Ｎ＋Ｌ）×１チャネル合波用ＡＷＧ、５３はＮ本の出力ポートである。
ここでは、使用波長がλ１、λ２、λ５、λ６の４波長、未使用波長がλ３、λ４の２波長（Ｎ＝４、Ｌ＝２）の場合を示している。
図１１に示す従来技術（第２の従来技術）の動作原理を以下に説明する。
λ１、λ２、λ５、λ６の不連続な４波の波長多重光信号を、４個の同一特性を有するＡＷＧ５０の入力チャネルに入力する。ここで、光信号の記号は、第１の従来技術例と同様である。
入力信号は、ＡＷＧ５０で分波され、光ファイバ配線５１を用いて、合波用ＡＷＧ５２の所定の入力ポートに入力される。その際、出力ポート５３での波長配置が、図１０に示すような周期的な入出力関係を有するように、光ファイバ配線５１がレイアウトされている。
【０００７】
なお、本願発明に関連する先行技術文献としては以下のものがある。
【特許文献】
特開平９−１０５８２８号公報  「光周波数合分波装置」
【非特許文献１】
Ｋ．Ｏｋａｍｏｔｏ，Ｔ．Ｈａｓｅｇａｗａ，Ｏ．Ｉｓｈｉｄａ，Ａ．Ｈｉｍｅｎｏ  ａｎｄ  Ｙ．Ｏｈｍｏｒｉ，：”３２×３２                      ａｒｒａｙｅｄ−ｗａｖｅｇｕｉｄｅ  ｇｒａｔｉｎｇ  ｍｕｌｔｉｐｌｅｘｅｒ  ｗｉｔｈ  ｕｎｉｆｏｒｍ  ｌｏｓｓ  ａｎｄ                      ｃｙｃｌｉｃ  ｆｒｅｑｕｅｎｃｙ  ｃｈａｒａｃｔｅｒｉｓｔｉｃｓ”，Ｅｌｅｃｔｒｏｎ．Ｌｅｔｔ．，Ｖｏ．３３，Ｎｏ．２２，                    ｐｐ．１８６５−１８６６，１９９７
【非特許文献２】
Ｆ．Ｌｉｕ  ｅｔ  ａｌ．，  ”Ｖｅｒｙ  ｌｏｗ  ｃｒｏｓｓｔａｌｋ  ｗａｖｅｌｅｎｇｔｈ  ｒｏｕｔｅｒ  ｃｏｎｓｔｒｕｃｔｉ                    ｏｎ  ｕｓｉｎｇ  ａｒｒａｙｅｄ−ｗａｖｅｇｕｉｄｅ  ｇｒａｔｉｎｇ  ｍｕｌｔｉ／ｄｅｍｕｌｔｉｐｌｅｘｅｒｓ”，                    Ｅｌｅｃｔｒｏｎ．Ｌｅｔｔ．，ｖｏｌ．３５，Ｎｏ．１０，ｐ．８３９，１９９９。
【０００８】
【発明が解決しようとする課題】
前述した第２の従来技術では、分波用ＡＷＧ５０と合波用ＡＷＧ５２の未使用波長に対応するポートを接続しなければ、不連続なチャネル波長配置でも適用可能である。
しかしながら、合計で２Ｎ個のＡＷＧとＮ２本の光ファイバ接続が必要となるため、チャネル数が大きい場合は、高価なＡＷＧ部品数が増大しコストが掛かるという問題点があった。
本発明は、前記従来技術の問題点を解決するためになされたものであり、本発明の目的は、フルメッシュＷＤＭ伝送システムにおいて、波長チャネル配置に不連続性がある場合でも適用可能な低コスト周回性Ｎ×Ｎ光波長合分波装置を提供することにある。
本発明の前記ならびにその他の目的と新規な特徴は、本明細書の記述及び添付図面によって明らかにする。
【０００９】
【課題を解決するための手段】
本願において開示される発明のうち、代表的なものの概要を簡単に説明すれば、下記の通りである。
前記目的を達成するために、本発明は、複数本の入力ポートと複数本の出力ポートを有し、波長分割多重光信号を合分波する光波長合分波装置であって、前記波長分割多重信号光は、各群内において波長配置が連続し、各群の間で波長配置が不連続な複数の波長群からなり、前記各入力ポートに接続される１個の入力端子と複数の出力端子とを有し、前記波長分割多重光信号を各波長群に分波して前記複数の出力端子から出力する複数の光分波手段と、前記光分波手段とは逆の入出力特性を有するとともに、複数の入力端子と１個の出力端子とを有し、前記複数の入力端子のそれぞれが、前記複数の光分波手段の各出力端子の中の所定端子に接続される複数の光合波手段と、複数の入力端子と複数の出力端子とを有し、前記複数の入力端子が、前記複数の光分波手段の各出力端子の中の所定端子と、前記複数の光合波手段の各出力端子に接続されるアレイ導波路回折格子型合分波回路と、２個の入力端子と、前記各出力ポートに接続される１個の出力端子とを有し、前記２個の入力端子のそれぞれが、前記アレイ導波路回折格子型合分波回路の複数の出力端子の中の所定の２本の出力端子に接続される複数の光合流手段とを備えることを特徴とする。
【００１０】
また、本発明は、複数本の入力ポートと複数本の出力ポートを有し、波長分割多重光信号を合分波する光波長合分波装置であって、前記波長分割多重信号光は、各群内において波長配置が連続し、各群の間で波長配置が不連続な複数の波長群からなり、前記各入力ポートに接続される１個の入力端子と複数の出力端子とを有し、前記波長分割多重光信号を各波長群に分波して前記複数の出力端子から出力する複数の光分波手段と、複数の入力端子と複数の出力端子とを有し、前記複数の入力端子が、前記複数の光分波手段の各出力端子の中の所定端子に接続されるアレイ導波路回折格子型合分波回路と、２個の入力端子と、前記各出力ポートに接続される１個の出力端子とを有し、前記２個の入力端子のそれぞれが、前記アレイ導波路回折格子型合分波回路の複数の出力端子の中の所定の２本の出力端子に接続される複数の光合流手段とを備えることを特徴とする。
【００１１】
本発明では、前記光合波手段と光分波手段として、波長選択性を有する干渉膜フィルタ、または、平面基板上に形成された複数の光導波路を横切る溝に挿入された干渉膜フィルタが複数の光合波または光分波手段として機能するように構成された光フィルタ部品、あるいは、平面基板上の光導波路から成るラティス型光分波フィルタを用いても良い。
さらに、各要素部品間の光接続として、複数の光ファイバがフィルム形状にレイアウトされた光ファイバ配線シートを用いることもできる。
また、前記光分波手段、光合波手段、アレイ導波路回折格子型合分波回路、光合流手段、および各手段間の光配線等を、全てまたは一部が平面基板上の光導波回路として集積化して構成することもできる。
本発明によれば、フルメッシュＷＤＭ伝送システムにおいて、波長チャネル配置に不連続性がある場合でも適用可能な低コスト周回性Ｎ×Ｎ光波長合分波装置を実現することができる。
【００１２】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
［実施の形態１］
図１は、本発明の実施の形態１のＮ×Ｎ光波長合分波装置の概略構成を示すブロック図である。
ただし、図１では、使用波長数（Ｎ）がλ１、λ２、λ５、λ６の４波長、未使用波長数（Ｌ）がλ３、λ４の２波長の場合（Ｎ＝４、Ｌ＝２）の４波多重４×４光波長合分波装置を示している。
図１において、１は、４本の入力ポート、２は、光信号を短波長群λ１〜λ２と長波長群λ５〜λ６に分波する光分波フィルタ、３は、短波長群λ１〜λ２と長波長群λ５〜λ６を合波する光合波フィルタ、４は、光分波フィルタ２および光合波フィルタ３およびＡＷＧ５の所定ポート同士を接続する光ファイバ配線、５は、分波波長間隔Δλの６×８チャネルのＡＷＧ、６は光合流カプラ、７は４本の出力ポートである。
【００１３】
本実施の形態では、光分波フィルタ２と光合波フィルタ３として、干渉膜フィルタによる同一の合分波フィルタを用い、入出力ポート（または、入出力端子）を逆にして利用している。
ここで、ＡＷＧ５の入力チャネル（または、入力端子）数は、６チャネル（Ｎ＋Ｌ）以上、出力チャネル（または、出力端子）数は７チャネル（２Ｎ−１）以上、ＦＳＲは（７チャネル×Δλ）分以上が必要となる。
しかし、ＡＷＧには中央チャネルに比較して両端チャネルでは損失が大きくなる特徴がある。したがって、両端のチャネルを用いると、Ｎ×Ｎ光波長合分波装置の挿入損失が大きくなる上、チャネル間の損失ばらつきも増大する。
このようなＡＷＧのチャネル間損失ばらつきを低減する観点からは、チャネル数を多く、すなわちＦＳＲの値を大きく設計して、中央付近のチャネルを利用することが有効である。
本実施の形態のＡＷＧ５では、ＦＳＲとしては、１６チャネル×Δλ程度と設計して、入力側は中央付近の６本、出力側も中央付近の８本のポートを用いている。また、中心波長（入力３から入射して出力４に出力される波長）をλ４と設計した。
【００１４】
以下に、本実施の形態を基に、本発明の原理について説明する。
４本の入力ポートには、それぞれ波長多重化された光信号（Ａ１，Ａ２，Ａ５，Ａ６）、（Ｂ１，Ｂ２，Ｂ５，Ｂ６）、（Ｃ１，Ｃ２，Ｃ５，Ｃ６）、（Ｄ１，Ｄ２，Ｄ５，Ｄ６）が入力される。
ここで、アルファベット文字は入力ポート位置を、下付数字は波長間隔Δλ毎の光波長を短波長側から表しており、アルファベット文字が同じ光信号は同じ入力ポートに入射されたことを示し、下付数字が同じ光信号は同じ光波長であることを示す。
したがって、ここでは、連続した６波長のうち途中の２波長を利用せずに不連続な４種類の波長が用いられる。
入力ポート１からの光信号は、それぞれ光分波フィルタ２において短波長群λ１〜λ２と、長波長群λ５〜λ６とに分波される。
その後、光分波フィルタ２の（１）〜（２）から出力される短波長群の光信号は、６×８チャネルＡＷＧ５の入力チャネル１〜２に、光分波フィルタ２の（３）〜（４）から出力される長波長群の光信号は６×８チャネルＡＷＧ５の入力チャネル５〜６に入力される。
また、光分波フィルタ２の（１）〜（２）から出力される長波長群の光信号と、光分波フィルタ２の（３）〜（４）から出力される短波長群の光信号は、光合波フィルタ３の（１）〜（２）でそれぞれ合波される。
その後、光合波フィルタ３の（１）〜（２）から出力される光信号は、それぞれ６×８チャネルＡＷＧ５の入力チャネル３〜４に入力される。
【００１５】
６×８チャネルＡＷＧ５の中心波長（入力チャネル３から入射して出力チャネル４に出力される波長）はλ４と設計されているため、入力チャネル１からの光信号Ａ１，Ａ２は、出力４と５に、入力チャネル３からの光信号Ａ５，Ａ６は出力６と７に分波される。
他の光信号も同様に分波され、６×８チャネルＡＷＧ５で分波された光信号は図１に示すような波長配置となる。
その後、６×８チャネルＡＷＧ５の出力１と５、２と６、３と７、４と８が組み合わさるように光合流カプラ６の（１）〜（４）に接続される。
その結果として、出力ポート７での最終的な波長配置は、出力ポート７の▲１▼で（Ａ６，Ｂ１，Ｃ２，Ｄ５）、出力ポート７の▲２▼で（Ａ１，Ｂ２，Ｃ５，Ｄ６）、出力ポート７の▲３▼で（Ａ２，Ｂ５，Ｃ６，Ｄ１）、出力ポート７の▲４▼で（Ａ５，Ｂ６，Ｃ１，Ｄ２）となり、図８で示した周回性を有する波長配置となる。
ここで、光合流カプラ６の（４）は、必ずしも必要でないが、出力ポート７での各ポートでの損失を平均化する目的で用いている。以下の実施の形態でも同様である。
以上の説明から、不連続な波長チャネルの場合でも、波長周回性を実現できることが分かる。
本実施の形態では、光分波フィルタ２と光合波フィルタ３が付加的に必要であるが、前述したように、光分波フィルタ２と光合波フィルタ３は全て同一フィルタで良い。このように複数種類のフィルタを用意する必要がないため、付加コストは最小限に抑えられる。
【００１６】
［実施の形態２］
図２は、本発明の実施の形態２のＮ×Ｎ光波長合分波装置の概略構成を示すブロック図である。
本実施の形態は、前述の実施の形態１と同様の使用波長において、光分波フィルタ２と光合波フィルタ３を、光導波回路９と光合分波フィルタ１０を用いて一体化した場合の実施の形態である。
図２において、８は、４本の入力ポート、９は、６個の２×１ポート導波路がアレイ状に配置された光導波回路、１０は、短波長群λ１〜λ２を透過して長波長群λ５〜λ６を反射する光合分波フィルタ、１２は、６×８チャネルＡＷＧ、１１は、光合分波フィルタ１０と６×８チャネルＡＷＧ１２の所定のポート同士を接続する光ファイバ配線、１３は光合流カプラ、１４は４本の出力ポートである。
ここで、光合分波フィルタ１０は、膜厚２０μｍ程度の多層干渉膜フィルタであり、光導波回路９の２×１導波路の導波路接続点付近に形成された幅２０〜３０μｍの溝に挿入固定されている。
光合分波フィルタ１０は、短波長群λ１〜λ２を透過して長波長群λ５〜λ６を反射するので、図２に示すように、入力ポート８と光ファイバ配線１１とを接続すると、光導波回路９の（１）、（２）、（５）、（６）は光分波フィルタとして、（３）と（４）は光合波フィルタとして動作する。その他は、前述の実施の形態１と同様であるので再度の説明は省略する。
本実施の形態では、光分波および合波フィルタを一体化できるため、小型化と低コスト化の観点で有利である。
【００１７】
［実施の形態３］
図３は、本発明の実施の形態３のＮ×Ｎ光波長合分波装置の概略構成を示すブロック図である。
本実施の形態は、使用波長数（Ｎ）がλ１，λ２，λ７，λ８の４波長、未使用波長数（Ｌ）がλ３，λ４，λ５，λ６の４波長の場合（Ｎ＝４、Ｌ＝４）の４波多重４×４光波長合分波装置の実施の形態である。
すなわち、連続した８波長のうち途中の４波長を利用せずに、不連続な４波長を用いた場合の例である。
図３において、１５は、４本の入力ポート、１６は、光信号を短波長群λ１〜λ２と長波長群λ７〜λ８に分波するフィルタが集積化されたラティス型光分波フィルタ、１９は、８×８チャネルＡＷＧ、１７は、ラティス型光分波フィルタ１６と８×８チャネルＡＷＧ１９の所定ポート同士を接続する光配線シート、１８は、８×８チャネルＡＷＧ１９と光合流導波回路２０を集積化した集積型導波回路基板、２０は、光合流導波回路、２１は４本の出力ポートである。
ここで、ＡＷＧ１９の入力チャネル数は８チャネル（Ｎ＋Ｌ）以上、出力チャネル数は７チャネル（２Ｎ−１）以上、ＦＳＲは（８チャネル×Δλ）分以上が必要となる。
本実施の形態のＡＷＧ１９では、ＦＳＲとしては、１６チャネル×Δλ程度と設計して、入力側は中央付近の８本、出力側も中央付近の８本のポートを用いている。また、中心波長（入力チャネル４から入射して出力５に出力される波長）をλ５と設計した。
【００１８】
以下に、本実施の形態の動作原理について説明する。
４本の入力ポート１５には、それぞれ波長多重化された光信号（Ａ１，Ａ２，Ａ７，Ａ８）、（Ｂ１，Ｂ２，Ｂ７，Ｂ８）、（Ｃ１，Ｃ２，Ｃ７，Ｃ８）、（Ｄ１，Ｄ２，Ｄ７，Ｄ８）が入力される。
入力ポート１５からの光信号は、それぞれラティス型光分波フィルタ１６において短波長群λ１〜λ２と長波長群λ７〜λ８に分波される。
その後、光配線シート１７により、ラティス型光分波フィルタ１６の（１）〜（４）から出力される短波長群の光信号は、８×８チャネルＡＷＧ１９の入力チャネル１〜４に、ラティス型光分波フィルタの（１）〜（４）から出力される長波長群の光信号は、８×８チャネルＡＷＧ１９の入力チャネル５〜８に接続される。
８×８チャネルＡＷＧ１９の中心波長（入力チャネル４から入射して出力５に出力される波長）はλ５と設計されているため、入力チャネル１からの光信号Ａ１，Ａ２は出力４と５に、入力チャネル５からの光信号Ａ７，Ａ８は出力６と７に分波される。
他の光信号も同様に分波され、８×８チャネルＡＷＧ１９で分波された光信号は、図３に示すような波長配置となる。
その後、８×８チャネルＡＷＧ１９の出力１と５、２と６、３と７、４と８が組み合わさるように光合流導波回路２０の（１）〜（４）に接続される。
その結果として、出力ポート２１での最終的な波長配置は、出力ポート２１の▲１▼で（Ａ８，Ｂ１，Ｃ２，Ｄ７）、出力ポート２１の▲２▼で（Ａ１，Ｂ２，Ｃ７，Ｄ８）、出力ポート２１の▲３▼で（Ａ２，Ｂ７，Ｃ８，Ｄ１）、出力ポート２１の▲４▼で（Ａ７，Ｂ８，Ｃ１，Ｄ２）と周回性を有する波長配置となる。
ここで、光合流導波回路２０の（４）は必ずしも必要でないが、出力ポート２１での各ポートでの損失を平均化する目的で用いている。
本実施の形態では、光分波手段としてラティス型光分波フィルタ１６を用い、光ファイバ配線として粘着シート上に所定の光配線になるように光ファイバがレイアウトされた光配線シート１７を用い、ＡＷＧ１９と光合流導波回路手段２０を集積型導波回路基板１８に形成しているが、これらは、前述の実施の形態１のように個別の光部品で構成しても本発明の効果が得られることは明白である。
【００１９】
［実施の形態４］
図４は、本発明の実施の形態４のＮ×Ｎ光波長合分波装置の概略構成を示すブロック図である。
本実施の形態は、使用波長数（Ｎ）がλ１，λ２，λ９，λ１０の４波長、未使用波長数（Ｌ）がλ３，λ４，λ５，λ６，λ７，λ８の６波長の場合（Ｎ＝４、Ｌ＝６）の４波多重４×４光波長合分波装置の実施の形態である。
すなわち、連続した１０波長のうち途中の６波長を利用せずに、不連続な４波長を用いた場合の例である。
図４において、２２は、４本の入力ポート、２３は、本発明の要素回路を集積化した集積型導波回路基板、２４は、光信号を短波長群λ１〜λ２と長波長群λ９〜λ１０に分波するラティス型光分波フィルタ、２６は、１０×８チャネルＡＷＧ、２５は、ラティス型光分波フィルタ２４と１０×８チャネルＡＷＧ２６の所定ポート同士を接続する光交差導波路、２７は、光合流導波回路、２８は、４本の出力ポートである。
ここで、ＡＷＧ２６の入力チャネル数は１０チャネル（Ｎ＋Ｌ）以上、出力チャネル数は７チャネル（２Ｎ−１）以上、ＦＳＲは（１０チャネル×Δλ）分以上が必要となる。
本実施の形態のＡＷＧ２６では、ＦＳＲとしては２０チャネル×Δλ程度と設計して、入力側は中央付近の１０本、出力側も中央付近の８本のポートを用いている。また、中心波長（入力チャネル５から入射して出力５に出力される波長）をλ６と設計した。
【００２０】
以下に、本実施の形態の動作原理について説明する。
４本の入力ポート２２には、それぞれ波長多重化された光信号（Ａ１，Ａ２，Ａ９，Ａ１０）、（Ｂ１，Ｂ２，Ｂ９，Ｂ１０）、（Ｃ１，Ｃ２，Ｃ９，Ｃ１０）、（Ｄ１，Ｄ２，Ｄ９，Ｄ１０）が入力される。
入力ポート２２からの光信号は、それぞれラティス型光分波フィルタ２４において短波長群λ１〜λ２と長波長群λ９〜λ１０に分波される。
その後、光交差導波路２５により、ラティス型光分波フィルタ２４の（１）〜（４）から出力される短波長群の光信号は１０×８チャネルＡＷＧ２６の入力チャネル１〜４に、ラティス型光分波フィルタ２４の（１）〜（４）から出力される長波長群の光信号は１０×８チャネルＡＷＧ２６の入力チャネル７〜１０に接続される。
１０×８チャネルＡＷＧ２６の中心波長（入力チャネル５から入射して出力５に出力される波長）はλ６と設計されているため、入力チャネル１からの光信号Ａ１，Ａ２は出力４と５に、入力チャネル７からの光信号Ａ９，Ａ１０は出力の６と７に分波される。
他の光信号も同様に分波され、１０×８チャネルＡＷＧ２６で分波された光信号は図４に示すような波長配置となる。
その後、１０×８チャネルＡＷＧ２６の出力１と５、２と６、３と７、４と８が組み合わさるように光合流導波回路２７の（１）〜（４）に接続される。
その結果として、出力ポート２８での最終的な波長配置は、出力ポート２８の▲１▼で（Ａ１０，Ｂ１，Ｃ２，Ｄ９）、出力ポート２８の▲２▼で（Ａ１，Ｂ２，Ｃ９，Ｄ１０）、出力ポート２８の▲３▼で（Ａ２，Ｂ９，Ｃ１０，Ｄ１）、出力ポート２８の▲４▼で（Ａ９，Ｂ１０，Ｃ１，Ｄ２）と周回性を有する波長配置となる。
ここで、光合流導波回路２７の（４）は必ずしも必要でないが、出力ポート２８での各ポートでの損失を平均化する目的で用いている。
本実施の形態では、本発明の要素回路を全て１チップ上に集積化した回路を用いたが、実施の形態１〜３の様に個別光部品や一部を集積化した光部品を構成しても本発明の効果が得られることは自明である。
【００２１】
前述の説明では、不連続波長の数の異なる３種類の４×４光波長合分波装置について説明したが、一般的なＮ×Ｎ光波長合分波装置においても本発明が適用できることは自明であり、本実施の形態に示された組合せだけに限定されるものではない。
すなわち、波長λ１〜λｉとλｉ＋１＋Ｌ〜λＮ＋Ｌ（ただし、ＬとＮは整数で、Ｌ≧１、且つ、Ｎ＞Ｌ）のＮ波長の波長分割多重された光信号を扱うＮ×Ｎ光波長合分波装置の場合は、先ずＮ本の入力ポートを短波長群λ１〜λｉと長波長群λｉ＋１＋Ｌ〜λＮ＋Ｌに分波する同一なＮ個の光分波手段に接続する。
次に、前記光分波手段の（Ｌ＋１）〜Ｎから出力される短波長群λ１〜λｉの出力と、前記光分波手段の１〜（Ｎ−Ｌ）から出力される長波長群λｉ＋１＋Ｌ〜λＮ＋Ｌの出力を、前記光分波手段と逆の特性を有する同一な（Ｎ−Ｌ）個の光合波手段に接続する。
その後、（Ｎ＋Ｌ）本以上の入力と（２Ｎ−１）本以上の出力を有する基本周期が波長間隔の（２Ｎ−１）倍以上であるＡＷＧに対して、前記光分波手段の１〜Ｌから出力される短波長群λ１〜λｉの出力をＡＷＧの入力１〜Ｌに、前記光合波手段の１〜（Ｎ−Ｌ）の出力をＡＷＧの入力（Ｌ＋１）〜Ｎに、前記（Ｎ−Ｌ＋１）〜Ｎの長波長群λｉ＋１＋Ｌ〜λＮ＋Ｌの出力をＡＷＧの入力（Ｎ＋１）〜（Ｎ＋Ｌ）に接続する。
最後に、ＡＷＧの出力ｍ（ただし、ｍは１〜Ｎ−１）と出力（ｍ＋Ｎ）の各出力対をＮ個の光合流手段に接続して、このＮ個の光合流手段の出力をＮ本の出力ポートとすれば良い。
【００２２】
また、波長λ１〜λｉと、λｉ＋１＋Ｌ〜λＮ＋Ｌ（ただし、ＬとＮは整数で、Ｌ≧１、且つ、Ｎ≦Ｌ）のＮ波長の波長分割多重された光信号を扱うＮ×Ｎ光波長合分波装置の場合は、先ずＮ本の入力ポートを短波長群λ１〜λｉと、長波長群λｉ＋１＋Ｌ〜λＮ＋Ｌに分波する同一なＮ個の光分波手段に接続する。
次に、（Ｎ＋Ｌ）以上本の入力と（２Ｎ−１）本以上の出力を有する基本周期が波長間隔の（Ｎ＋Ｌ）倍以上であるアレイ導波路回折格子型合分波回路ＡＷＧにおいて、前記光分波手段の１〜Ｎから出力される短波長群λ１〜λｉの出力をＡＷＧの入力１〜Ｎに、前記光分波手段の１〜Ｎから出力される長波長群λｉ＋１＋Ｌ〜λＮ＋Ｌの出力をＡＷＧの入力（Ｌ＋１）〜（Ｎ＋Ｌ）に接続する。
その後、ＡＷＧの出力ｍ（ただし、ｍは１〜Ｎ−１）と出力（ｍ＋Ｎ）の各出力対をＮ個の光合流手段に接続して、この光合流手段の出力をＮ本の出力ポートとすれば良い。
【００２３】
［実施の形態５］
図５は、本発明の実施の形態５のＮ×Ｎ光波長合分波装置の概略構成を示すブロック図である。
前述した各実施の形態は、波長の不連続点が１ヶ所で波長群が２つの場合である。しかし、本発明は、波長の不連続点が１ヶ所の場合に限定されるものではない。その例として、本実施の形態５において、波長の不連続点が２ヶ所で波長群が３つの実施の形態を説明する。
本実施の形態は、使用波長数（Ｎ）がλ１，λ３，λ４，λ７の４波長、未使用波長数（Ｌ）がλ２，λ５，λ６の３波長の場合（Ｎ＝４、Ｌ＝３、波長群数３）の４波多重４×４光波長合分波装置である。
すなわち、連続した７波長のうち途中の３波長を利用せずに、３つの波長群に分けられた連続しない４波長を用いた場合の例である。
図５において、２９は、４本の入力ポート、３０は、光信号を第１の波長群λ１と、第２の波長群λ３，λ４と第３の波長群λ７に分波する光分波フィルタ、３２は、光合波フィルタと逆の入出力特性を有する光合波フィルタ、３３は、７×８チャネルＡＷＧ、３１は、光分波フィルタ３０と光合波フィルタ３２または７×８チャネルＡＷＧ３３の所定ポート同士を接続する光ファイバ配線、３４は、光合流カプラ、３５は、４本の出力ポートである。
ここで、ＡＷＧ３３の入力チャネル数は７チャネル以上、出力チャネル数はチャネル以上、ＦＳＲは（８チャネル×Δλ）分以上が必要となる。
本実施の形態のＡＷＧ３３では、ＦＳＲとしては１６チャネル×Δλ程度と設計して、入力側は中央付近の７本、出力側も中央付近の８本のポートを用いている。また、中心波長（入力４から入射して出力５に出力される波長）をλ５と設計した。
【００２４】
以下に、本実施の形態の動作原理について説明する。
４本の入力ポート２９には、それぞれ波長多重化された光信号（Ａ１，Ａ３，Ａ４，Ａ７）、（Ｂ１，Ｂ３，Ｂ４，Ｂ７）、（Ｃ１，Ｃ３，Ｃ４，Ｃ７）、（Ｄ１，Ｄ３，Ｄ４，Ｄ７）が入力される。
入力ポート２９からの光信号は、それぞれ光分波フィルタ３０において第１の波長群λ１と、第２の波長群λ３，λ４と、第３の波長群λ７に分波される。
その後、光ファイバ配線３１により、光分波フィルタ３０の（１）から出力される第１の波長群の光信号は７×８チャネルＡＷＧ３３の入力１に、光分波フィルタ３０の（２）〜（４）から出力される第１の波長群の光信号は光合波フィルタ３２の（１）〜（３）に、光分波フィルタ３０の（１）〜（４）から出力される第２の波長群の光信号は光合波フィルタ３２の（１）〜（４）に、光分波フィルタ３０の（１）〜（２）から出力される第３の波長群の光信号は光合波フィルタ３２の（３）〜（４）に、光分波フィルタ３０の（３）〜（４）から出力される第３の波長群の光信号は７×８チャネルＡＷＧ３３の入力６〜７に、光合波フィルタ３２の（１）〜（４）からの光信号は、７×８チャネルＡＷＧの入力２〜５に接続される。
７×８チャネルＡＷＧ３３の中心波長（入力４から入射して出力５に出力される波長）はλ５と設計されているため、入力１からの光信号Ａ１は出力４に、入力２からの光信号Ａ３，Ａ４は出力５と６に、入力４からの光信号Ａ７は出力７に分波される。
他の光信号も同様に分波され、７×８チャネルＡＷＧ３３で分波された光信号は、図５に示すような波長配置となる。
その後、７×８チャネルＡＷＧ３３の出力１と５、２と６、３と７、４と８が組み合わさるように光合流導波回路３４の（１）〜（４）に接続される。
【００２５】
その結果として、出力ポート３５での最終的な波長配置は、出力ポート３５の▲１▼で（Ａ７，Ｂ１，Ｃ３，Ｄ４）、出力ポート３５の▲２▼で（Ａ１，Ｂ３，Ｃ４，Ｄ７）、出力ポート３５の▲３▼で（Ａ３，Ｂ４，Ｃ７，Ｄ１）、出力ポート３５の▲４▼で（Ａ４，Ｂ７，Ｃ１，Ｄ３）と周回性を有する波長配置となる。
ここで、光合流導波回路３４の（４）は必ずしも必要でないが、出力ポート３５での各ポートでの損失を平均化する目的で用いている。
このように、本発明の効果は、波長数や波長不連続点の数（または、波長群の数）に依らず実現可能であることは自明である。
また、本実施の形態では、本発明の要素回路を個別光部品で構成したが、前述の実施の形態２〜４の様に一部または全部を集積化した光部品を構成しても本発明の効果が得られることも自明である。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００２６】
【発明の効果】
本願において開示される発明のうち代表的なものによって得られる効果を簡単に説明すれば、下記の通りである。
本発明によれば、フルメッシュＷＤＭ伝送システムにおいて、波長チャネル配置に不連続性がある場合でも適用可能な低コスト周回性Ｎ×Ｎ光波長合分波装置を実現することが可能となる。
【図面の簡単な説明】
【図１】本発明の実施の形態１のＮ×Ｎ光波長合分波装置（使用波長数Ｎ＝４、未使用波長数Ｌ＝２）の概略構成を示すブロック図である。
【図２】本発明の実施の形態２のＮ×Ｎ光波長合分波装置（使用波長数Ｎ＝４、未使用波長数Ｌ＝２）の概略構成を示すブロック図である。
【図３】本発明の実施の形態３のＮ×Ｎ光波長合分波装置（使用波長数Ｎ＝４、未使用波長数Ｌ＝４）の概略構成を示すブロック図である。
【図４】本発明の実施の形態４のＮ×Ｎ光波長合分波装置（使用波長数Ｎ＝４、未使用波長数Ｌ＝６）の概略構成を示すブロック図である。
【図５】本発明実施の形態５のＮ×Ｎ光波長合分波装置（使用波長数Ｎ＝４、未使用波長数３、波長群数３）の概略構成を示すブロック図である。
【図６】従来のフルメッシュ光ＷＤＭネットワークの概略構成を示すブロック図である。
【図７】従来のアレイ導波路回折格子型光合分波回路を示す図である。
【図８】連続波長チャネルの場合のＮ×Ｎ光合分波装置（Ｎ＝４）における波長配置を説明する図である。
【図９】第１の従来技術例であるアレイ導波路格子型合分波回路と光カプラを用いたＮ×Ｎ光合分波装置（Ｎ＝４）の概略構成を示すブロック図である。
【図１０】不連続波長チャネルの場合のＮ×Ｎ光合分波装置（Ｎ＝４、Ｌ＝２）における波長配置を説明する図である。
【図１０】第２の従来技術例である対向する２Ｎ個の１×Ｎアレイ導波路格子型合分波回路を光ファイバ配線で接続した不連続波長チャネルの場合のＮ×Ｎ光合分波装置（Ｎ＝４、Ｌ＝２）の概略構成を示すブロック図である。
【符号の説明】
１，８，１５，２２，２９，４４，４９…入力ポート、２，３０…光分波フィルタ、３，３２…光合波フィルタ、４，１１，３１，４６，５１…光ファイバ配線、５，１２，１９，２６，３３，４５，５０，５２…アレイ導波路回折格子型光合分波回路（ＡＷＧ）、６，１３，３４…光合流カプラ、７，１４，２１，２８，３５，４８，５３…出力ポート、９…光導波回路、１０…光合分波フィルタ、１６，２４…ラティス型光分波フィルタ、１７…光配線シート、１８，２３…集積型導波回路基板、２０，２７…光合流導波回路、２５…光交差導波路、３６…光合分波装置、３７…ＷＤＭ送受信装置、３８…光ファイバ、３９…基板、４０…アレイ導波路、４１…スラブ導波路、４２…入力導波路、４３…出力導波路、４７…光カプラ。
【図１】
2005003832.tif 000003
【図２】
2005003832.tif 000004
【図３】
2005003832.tif 000005
【図４】
2005003832.tif 000006
【図５】
2005003832.tif 000007
【図６】
2005003832.tif 000008
【図７】
2005003832.tif 000009
【図８】
2005003832.tif 000010
【図９】
2005003832.tif 000011
【図１０】
2005003832.tif 000012
【図１１】
2005003832.tif 000013
【手続補正書】
【提出日】平成15年6月25日(2003.6.25)
【手続補正１】
【補正対象書類名】明細書
【補正対象項目名】図面の簡単な説明
【補正方法】変更
【補正の内容】
【図面の簡単な説明】
【図１】本発明の実施の形態１のＮ×Ｎ光波長合分波装置（使用波長数Ｎ＝４、未使用波長数Ｌ＝２）の概略構成を示すブロック図である。
【図２】本発明の実施の形態２のＮ×Ｎ光波長合分波装置（使用波長数Ｎ＝４、未使用波長数Ｌ＝２）の概略構成を示すブロック図である。
【図３】本発明の実施の形態３のＮ×Ｎ光波長合分波装置（使用波長数Ｎ＝４、未使用波長数Ｌ＝４）の概略構成を示すブロック図である。
【図４】本発明の実施の形態４のＮ×Ｎ光波長合分波装置（使用波長数Ｎ＝４、未使用波長数Ｌ＝６）の概略構成を示すブロック図である。
【図５】本発明実施の形態５のＮ×Ｎ光波長合分波装置（使用波長数Ｎ＝４、未使用波長数３、波長群数３）の概略構成を示すブロック図である。
【図６】従来のフルメッシュ光ＷＤＭネットワークの概略構成を示すブロック図である。
【図７】従来のアレイ導波路回折格子型光合分波回路を示す図である。
【図８】連続波長チャネルの場合のＮ×Ｎ光合分波装置（Ｎ＝４）における波長配置を説明する図である。
【図９】第１の従来技術例であるアレイ導波路格子型合分波回路と光カプラを用いたＮ×Ｎ光合分波装置（Ｎ＝４）の概略構成を示すブロック図である。
【図１０】不連続波長チャネルの場合のＮ×Ｎ光合分波装置（Ｎ＝４、Ｌ＝２）における波長配置を説明する図である。
【図１１】第２の従来技術例である対向する２Ｎ個の１×Ｎアレイ導波路格子型合分波回路を光ファイバ配線で接続した不連続波長チャネルの場合のＮ×Ｎ光合分波装置（Ｎ＝４、Ｌ＝２）の概略構成を示すブロック図である。
【符号の説明】
１，８，１５，２２，２９，４４，４９…入力ポート、２，３０…光分波フィルタ、３，３２…光合波フィルタ、４，１１，３１，４６，５１…光ファイバ配線、５，１２，１９，２６，３３，４５，５０，５２…アレイ導波路回折格子型光合分波回路（ＡＷＧ）、６，１３，３４…光合流カプラ、７，１４，２１，２８，３５，４８，５３…出力ポート、９…光導波回路、１０…光合分波フィルタ、１６，２４…ラティス型光分波フィルタ、１７…光配線シート、１８，２３…集積型導波回路基板、２０，２７…光合流導波回路、２５…光交差導波路、３６…光合分波装置、３７…ＷＤＭ送受信装置、３８…光ファイバ、３９…基板、４０…アレイ導波路、４１…スラブ導波路、４２…入力導波路、４３…出力導波路、４７…光カプラ。